(57)【要約】【課題】自動的に最適な通信パラメータを用いて無線通信を行うことができる無線タグ通信装置を提供する。【解決手段】情報を記憶するＩＣ回路部１５０と情報を送受信可能なタグ側アンテナ１５１とを備えた少なくとも１つの無線タグ回路素子Ｔoに対し、無線通信を行うためのリーダアンテナ１１１と、メモリ１３４又はデータベース３００に保存され、各無線タグ回路素子ＴoのタグＩＤと関連付けられた通信パラメータ履歴情報を取得するとともに、取得した通信パラメータ履歴情報に基づき、リーダアンテナ１１１を介し無線タグ回路素子Ｔoと情報送受信を行うための通信パラメータを設定する制御回路１３３とを有する。【選択図】図３
2009122751.tif 000002
【特許請求の範囲】
【請求項１】
情報を記憶するＩＣ回路部と情報を送受信可能なタグ側アンテナとを備えた少なくとも１つの無線タグ回路素子に対し、無線通信を行うための装置側アンテナと、
装置側記憶手段に保存され、各無線タグ回路素子のタグ識別情報と関連付けられた通信パラメータ履歴情報を取得するパラメータ取得手段と、
前記パラメータ取得手段で取得した前記通信パラメータ履歴情報に基づき、前記装置側アンテナを介し前記無線タグ回路素子と情報送受信を行うための通信パラメータを設定するパラメータ設定手段と
を有することを特徴とする無線タグ通信装置。
【請求項２】
前記パラメータ取得手段は、
前記無線タグ回路素子との１回の通信実績に関わる通信パラメータ実績情報を少なくとも１つ含む前記通信パラメータ履歴情報を取得し、
前記パラメータ取得手段で取得された前記通信パラメータ履歴情報に含まれる前記通信パラメータ実績情報のうち、通信を行おうとする前記無線タグ回路素子のタグ識別情報と関連付けられた前記通信パラメータ実績情報を特定するパラメータ特定手段を有する
ことを特徴とする請求項１記載の無線タグ通信装置。
【請求項３】
前記無線タグ回路素子との無線通信が成功した際の前記通信パラメータ実績情報を、前記装置側記憶手段に保存するパラメータ保存手段を有する
ことを特徴とする請求項２記載の無線タグ通信装置。
【請求項４】
複数の前記通信パラメータ実績情報を含む前記通信パラメータ履歴情報に関し、前記パラメータ設定手段で通信パラメータ設定に係わる優先順位を付与する優先順位付与手段を有する
ことを特徴とする請求項３記載の無線タグ通信装置。
【請求項５】
前記優先順位付与手段は、
前記通信パラメータ履歴情報における現出頻度に応じ、各通信パラメータ実績情報ごとに優先順位を付与する
ことを特徴とする請求項４記載の無線タグ通信装置。
【請求項６】
前記通信パラメータ実績情報は、
少なくとも１つのパラメータ要素から構成されており、
前記優先順位付与手段は、
前記通信パラメータ履歴情報における現出頻度に応じて、前記各パラメータ要素ごとに優先順位を付与する
ことを特徴とする請求項４記載の無線タグ通信装置。
【請求項７】
前記パラメータ設定手段は、
前記パラメータ特定手段で特定された１つの前記無線タグ回路素子に係わる複数の前記通信パラメータ実績情報のうち、前記優先順位付与手段で付与した優先順位に応じて、通信時の前記通信パラメータを構築するパラメータ構築手段を備えている
ことを特徴とする請求項４乃至請求項６のいずれか１項記載の無線タグ通信装置。
【請求項８】
前記パラメータ構築手段は、
前記優先順位付与手段で付与した優先順位に応じ、通信で使用するための複数の前記通信パラメータ実績情報を構築する
ことを特徴とする請求項７記載の無線タグ通信装置。
【請求項９】
前記優先順位付与手段は、
前記パラメータ取得手段で前記装置側記憶手段より前記通信パラメータ履歴情報を取得した後に、取得した前記通信パラメータ履歴情報に対し、前記優先順位を付与する
ことを特徴とする請求項４乃至請求項８のいずれか１項記載の無線タグ通信装置。
【請求項１０】
前記優先順位付与手段は、
前記装置側記憶手段に保存された前記通信パラメータ履歴情報に対し、優先順位を付与する
ことを特徴とする請求項４乃至請求項８のいずれか１項記載の無線タグ通信装置。
【発明の詳細な説明】
【技術分野】
【０００１】
本発明は、情報を記憶するＩＣ回路部と情報を送受信可能なタグ側アンテナとを備えた無線タグ回路素子に対し、無線通信を行う無線タグ通信装置に関する。
【背景技術】
【０００２】
近年、通信対象と無線通信を行う無線通信システムの１つとして、所定の情報を記憶するＩＣ回路部とこのＩＣ回路部に接続されて情報の送受信を行うタグ側アンテナを備えた無線タグ回路素子を有する小型の無線タグと、リーダ（読み取り装置）／ライタ（書き込み装置）との間で非接触で情報の読み取り／書き込みを行うＲＦＩＤ（Radio  Frequency  Identification）システムが提唱されており、様々な分野において実用化されつつある。
【０００３】
このように種々の分野において活用されつつある無線タグを用いた無線タグ通信装置の１つとして、複数の無線タグ回路素子に対し無線通信により情報の読み取りを行う無線タグ通信装置がある（例えば、特許文献１参照）。
【０００４】
【特許文献１】特開平１１−１４９５３０号公報
【発明の開示】
【発明が解決しようとする課題】
【０００５】
近年、前述したような無線タグの実用化の進展により、多種多様な通信態様の無線タグのニーズが増大している。このような多様な通信態様の無線タグに対し、無線タグ通信装置で良好な通信を行うには、通信を行うごとに操作者が自ら各種通信パラメータ（送信出力、偏波面等）を最適な値に設定若しくは調整する必要があった。このため、操作者の手間を要していた。
【０００６】
本発明の目的は、自動的に最適な通信パラメータを用いて無線通信を行うことができる無線タグ通信装置を提供することにある。
【課題を解決するための手段】
【０００７】
上記目的を達成するために、第１の発明の無線タグ通信装置は、情報を記憶するＩＣ回路部と情報を送受信可能なタグ側アンテナとを備えた少なくとも１つの無線タグ回路素子に対し、無線通信を行うための装置側アンテナと、装置側記憶手段に保存され、各無線タグ回路素子のタグ識別情報と関連付けられた通信パラメータ履歴情報を取得するパラメータ取得手段と、前記パラメータ取得手段で取得した前記通信パラメータ履歴情報に基づき、前記装置側アンテナを介し前記無線タグ回路素子と情報送受信を行うための通信パラメータを設定するパラメータ設定手段とを有することを特徴とする。
【０００８】
本願第１発明においては、無線タグ回路素子との通信に関する通信パラメータ履歴情報が、各無線タグ回路素子のタグ識別情報と関連付けた形で、装置側記憶手段に記憶されている。そして、パラメータ取得手段が、その装置側記憶手段に保存された通信パラメータ履歴情報を取得する。そして、装置側アンテナを介し無線タグ回路素子と無線通信を行うときに用いる通信パラメータを、取得した通信パラメータ履歴情報に基づき、パラメータ設定手段が設定する。
【０００９】
これにより、過去に無線タグ回路素子との無線通信が成功した際の通信パラメータ履歴情報を装置側記憶手段に保存しておくことで、当該通信パラメータ履歴情報に基づき、無線タグ回路素子との無線通信に最適な通信パラメータを自動的に設定することが可能となる。
【００１０】
この結果、操作者は、自ら通信パラメータの設定あるいは調整等の操作を行うことなく、自動的に最適な通信パラメータを用いて無線通信を行うことができるので、利便性を向上することができる。
【００１１】
第２の発明の無線タグ通信装置は、上記第１発明において、前記パラメータ取得手段は、前記無線タグ回路素子との１回の通信実績に関わる通信パラメータ実績情報を少なくとも１つ含む前記通信パラメータ履歴情報を取得し、前記パラメータ設定手段は、前記パラメータ取得手段で取得された前記通信パラメータ履歴情報に含まれる前記通信パラメータ実績情報のうち、通信を行おうとする前記無線タグ回路素子のタグ識別情報と関連付けられた前記通信パラメータ実績情報を特定するパラメータ特定手段を有することを特徴とする。
【００１２】
パラメータ特定手段により、通信を行おうとする無線タグ回路素子のタグ識別情報と関連付けられた通信パラメータ実績情報を特定することで、通信対象である無線タグ回路素子に対し最適な通信パラメータを自動的に設定することができる。特に、複数の無線タグ回路素子のタグ識別情報とそれぞれ関連付けられた複数の通信パラメータ実績情報からなる通信パラメータ履歴情報が装置側記憶手段に保存されている場合でも、それらの中から通信に最適な通信パラメータを確実に設定することができる。
【００１３】
第３発明の無線タグ通信装置は、上記第２発明において、前記無線タグ回路素子との無線通信が成功した際の前記通信パラメータ実績情報を、前記装置側記憶手段に保存するパラメータ保存手段を有することを特徴とする。
【００１４】
これにより、無線通信成功時の通信パラメータ実績情報を、以降の無線通信のための通信パラメータ履歴情報として、装置側記憶手段に保存することができる。
【００１５】
第４発明の無線タグ通信装置は、上記第３発明のいずれかにおいて、複数の前記通信パラメータ実績情報を含む前記通信パラメータ履歴情報に関し、前記パラメータ設定手段での通信パラメータ設定に係わる優先順位を付与する優先順位付与手段を有することを特徴とする。
【００１６】
これにより、操作者の使用態様や用途等に応じて優先順位付与手段で優先順位を付与し、その付与された優先順位に応じた通信パラメータ履歴情報を用いて通信パラメータを自動的に設定することが可能となる。この結果、最適な通信パラメータをさらに確実に設定することができ、利便性が向上する。
【００１７】
第５発明の無線タグ通信装置は、上記第４発明において、前記優先順位付与手段は、前記通信パラメータ履歴情報中における現出頻度に応じ、各通信パラメータ実績情報ごとに優先順位を付与することを特徴とする。
【００１８】
通信パラメータ履歴情報中において頻度が高い通信パラメータ実績情報を用いることで、最適な通信パラメータを自動的に設定することができる。
【００１９】
第６発明の無線タグ通信装置は、上記第４発明において、前記通信パラメータ実績情報は、少なくとも１つのパラメータ要素から構成されており、前記優先順位付与手段は、前記通信パラメータ履歴情報中における現出頻度に応じて、前記各パラメータ要素ごとに優先順位を付与することを特徴とする。
【００２０】
通信パラメータ履歴情報中において頻度が高いパラメータ要素を組み合わせることで、最適な通信パラメータを自動的に設定することができる。
【００２１】
第７発明の無線タグ通信装置は、上記第４乃至第６発明のいずれかにおいて、前記パラメータ設定手段は、前記パラメータ特定手段で特定された１つの前記無線タグ回路素子に係わる複数の前記通信パラメータ実績情報のうち、前記優先順位付与手段で付与した優先順位に応じて、通信時の前記通信パラメータを構築するパラメータ構築手段を備えていることを特徴とする。
【００２２】
これにより、優先順位の高い通信パラメータ実績情報を用いて通信パラメータを自動的に設定することが可能となるので、さらに確実に通信パラメータを最適化することができる。
【００２３】
第８発明の無線タグ通信装置は、上記第７発明において、前記パラメータ構築手段は、前記優先順位付与手段で付与した優先順位に応じ、通信で使用するための複数の前記通信パラメータ実績情報を構築することを特徴とする。
【００２４】
これにより、パラメータ構築手段によって構築された複数の通信パラメータ実績情報のうちから、操作者の意図に応じた選択により通信パラメータ実績情報を決定することが可能となる。その結果、操作者の意向を反映したパラメータ設定を行うことができる。
【００２５】
第９発明の無線タグ通信装置は、上記第４乃至第８発明のいずれかにおいて、前記優先順位付与手段は、前記パラメータ取得手段で前記装置側記憶手段より前記通信パラメータ履歴情報を取得した後に、取得した前記通信パラメータ履歴情報に対し、前記優先順位を付与することを特徴とする。
【００２６】
本願第９発明においては、パラメータ取得手段で通信パラメータ履歴情報を取得した後（取得時を含む）に、優先順位付与手段で通信パラメータ履歴情報に対して優先順位を付与する。これにより、当該優先順位に応じ、通信時の通信パラメータをパラメータ構築手段で構築することができるので、通信パラメータ履歴情報の取得時における最新の通信パラメータ履歴情報を反映して通信パラメータを設定することができる。
【００２７】
第１０発明の無線タグ通信装置は、上記第４乃至第８発明のいずれかにおいて、前記優先順位付与手段は、前記装置側記憶手段に保存された前記通信パラメータ履歴情報に対し、優先順位を付与することを特徴とする。
【００２８】
本願第１０発明においては、パラメータ保存手段で装置側記憶手段に保存された通信パラメータ履歴情報に対し優先順位を付与する。これにより、無線通信を行う際には、パラメータ取得手段でその優先順位が付与された通信パラメータ履歴情報を装置側記憶手段から取得し、当該優先順位に応じ、通信時の通信パラメータをパラメータ構築手段で構築することができる。これにより、パラメータ取得手段で通信パラメータ履歴情報を取得した際に、付与された優先順位に応じて、取得後円滑且つ迅速に通信パラメータの設定を行うことができる。また、装置側記憶手段内の通信パラメータ履歴情報に対し（データのアップデート時等の）適宜のタイミングで優先順位を付与することも可能である。
【発明の効果】
【００２９】
本発明によれば、自動的に最適な通信パラメータを用いて無線通信を行うことができる。
【発明を実施するための最良の形態】
【００３０】
図１に、本実施形態の無線タグ通信装置であるリーダライタ１００の全体構造を示す。なお、図１（ａ）は携帯使用状態、図１（ｂ）は固定使用状態を示している。本実施形態においては、このようにリーダライタ１００がクレードル２００に対し装着されていない状態を、据え置き箇所に据え置かずに使用する携帯使用状態と、リーダライタ１００がクレードル２００に対し装着された状態を、据え置き箇所に据え置いて使用する固定使用状態とする。
【００３１】
リーダライタ１００は、所定の無線タグ情報を記憶するＩＣ回路部１５０とこのＩＣ回路部に接続されて情報の送受信を行うタグ側アンテナ１５１とを備えた無線タグ回路素子Ｔo（後述の図５参照）に対し無線通信を介して情報の書き込み又は読み取りを行う携帯型（いわゆるハンディタイプ）の無線通信装置である。このリーダライタ１００は、図１（ａ）に示すように据え置き箇所に据え置かずに操作者が携帯して使用したり（以下適宜「携帯使用」と記載）、図１（ｂ）に示すように据え置き箇所に据え置いて使用する（以下適宜「固定使用」と記載）ことが可能である。
【００３２】
リーダライタ１００は、無線通信を行うためのリーダアンテナ１１１（図３参照）を備えたアンテナ部１１０と、このアンテナ部１１０の下部に設けられた本体部１２０を有している。上記アンテナ部１１０は上記本体部１２０に対し相対回転駆動可能に設けられている（後述の図２参照）。本体部１２０は、図中における当該本体部１２０の上方側に配置され、各種情報の表示を行う表示部１２１と、この表示部１２１の図中における下方側に配置され、各種操作入力を行う操作部１２２とを有している。
【００３３】
図２に、リーダライタ１００のアンテナ回転時における全体概略構造を示す。なお、図２（ａ）はアンテナ部１１０が正面方向から反時計回り方向に回転した状態、図２（ｂ）はアンテナ部１１０が正面方向から時計回り方向に回転した状態を示している。
【００３４】
上述したように、リーダライタ１００のアンテナ部１１０は、本体部１２０に対し相対回転駆動可能に設けられている。このアンテナ部１１０の回転駆動は、制御回路１３３（後述の図３参照）による制御に基づき電動モータ１３５（後述の図３参照）によって行われる。本実施形態では、アンテナ部１１０が本体部１２０と同じ正面方向を向いている状態（図１に示す状態）のアンテナ角度を０°とし、図２（ａ）に示すようにアンテナ部１１０が正面から反時計回り方向に回転する場合のアンテナ角度を正、図２（ｂ）に示すようにアンテナ部１１０が正面から時計回り方向に回転する場合のアンテナ角度を負とする。
【００３５】
なお、上記アンテナ部１１０の回転駆動機能は、特にリーダライタ１００を固定使用する場合に用いられる。
【００３６】
図３に、リーダライタ１００及びクレードル２００の機能構成を示す。なお、図３（ａ）は上記携帯使用状態、図３（ｂ）は上記固定使用状態を示している。なお、図中に示す矢印は信号の流れの一例を示すものであり、信号の流れ方向を限定するものではない。
【００３７】
図３（ａ）及び図３（ｂ）において、リーダライタ１００は、上記表示部１２１及び操作部１２２と、通信対象である上記無線タグ回路素子Ｔoとの間で無線通信により信号の授受を行う上記リーダアンテナ１１１（装置側アンテナ）と、このリーダアンテナ１１１を介し上記無線タグ回路素子ＴoのＩＣ回路部１５０へ無線通信によりアクセスするとともに、その無線タグ回路素子Ｔoから読み出された信号を処理する高周波回路１３１と、上記高周波回路１３１を含むリーダライタ１００全体の制御を行う制御回路１３３と、各無線タグ回路素子のタグＩＤ（タグ識別情報）と関連付けられた通信パラメータ履歴情報が含まれる探索リスト（後述の図７参照）等が記憶されるメモリ１３４（装置側記憶手段。例えばＲＡＭやハードディスク等）と、携帯使用時に上記制御回路１３３（及び上記表示部１２１等）に電力を供給する充電池１３６と、固定使用時に上記クレードル２００が有するコネクタ２０１と接続されるコネクタ１４１と、アンテナ部１１０を本体部１２０に対し相対回転駆動させる上記電動モータ１３５とを有する。
【００３８】
なお、図３（ｂ）に示すように、固定使用時にリーダライタ１００をクレードル２００に装着すると、リーダライタ１００のコネクタ１４１とクレードル２００のコネクタ２０１とが接続され、上記制御回路１３３がサーバ等のデータベース３００（装置側記憶手段）とネットワークＮＷを介して接続される。これにより、固定使用時には、制御回路１３３はデータベース３００に記憶された、各無線タグ回路素子のタグＩＤと関連付けられた通信パラメータ履歴情報が含まれる探索リストを取得することができる。一方、携帯使用時には、制御回路１３３は上記探索リストを上記メモリ１３４から取得できるようになっている。
【００３９】
また、図３（ｂ）に示すように、固定使用時には、外部電源４００の電力がコネクタ２０１，１４１を介してリーダライタ１００に供給される。これにより、外部電源４００の電力が制御回路１３３（及び表示部１２１等）に供給されるとともに、リーダライタ１００の非駆動時には外部電源４００の電力が充電池１３６に供給されて充電される。一方、図３（ａ）に示すように、携帯使用時にリーダライタ１００がクレードル２００から取外されると、上記充電池１３６から制御回路１３３（及び表示部１２１等）に電力が供給される。
【００４０】
図４に、上記高周波回路１３１の詳細構成を示す。なお、図中に示す矢印は信号の流れの一例を示すものであり、信号の流れ方向を限定するものではない。
【００４１】
この図４において、高周波回路１３１は、上記リーダアンテナ１１１を介し上記無線タグ回路素子ＴoのＩＣ回路部１５０の情報へアクセスするものであり、またリーダライタ１００の制御回路１３３は無線タグ回路素子ＴoのＩＣ回路部１５０から読み出された信号を処理して情報を読み出すとともに無線タグ回路素子ＴoのＩＣ回路部１５０へアクセスするための各種コマンドを生成するものである。
【００４２】
高周波回路１３１は、リーダアンテナ１１１を介し無線タグ回路素子Ｔoに対して信号を送信する送信部１４２と、リーダアンテナ１１１により受信された無線タグ回路素子Ｔoからの応答波を入力する受信部１４３と、送受分離器１４４とから構成される。
【００４３】
送信部１４２は、無線タグ回路素子ＴoのＩＣ回路部１５０の無線タグ情報にアクセスするための質問波を生成するブロックである。すなわち、送信部１４２は、周波数の基準信号を出力する水晶振動子１４５Ａと、制御回路１３３の制御により水晶振動子１４５Ａの出力を分周／逓倍して所定周波数の搬送波を発生させるＰＬＬ（Phase  Locked  Loop）１４５Ｂ及びＶＣＯ（Voltage  Controlled  Oscillator）１４５Ｃと、上記制御回路１３３から供給される信号に基づいて上記発生させられた搬送波を変調（この例では制御回路１３３からの「ＴＸ＿ＡＳＫ」信号に基づく振幅変調）する送信乗算回路１４６（但し振幅変調の場合は増幅率可変アンプ等を用いてもよい）と、その送信乗算回路１４６により変調された変調波を増幅（この例では制御回路１３３からの「ＴＸ＿ＰＷＲ」信号によって増幅率が決定される増幅）して所望の質問波を生成する可変送信アンプ１４７とを備えている。そして、上記発生される搬送波は、例えばＵＨＦ帯、マイクロ波帯、あるいは短波帯の周波数を用いており、上記可変送信アンプ１４７の出力は、送受分離器１４４を介しリーダアンテナ１１１に伝達されて無線タグ回路素子ＴoのＩＣ回路部１５０に供給される。なお、質問波は上記のように変調した信号（変調波）に限られず、単なる搬送波のみの場合もある。
【００４４】
受信部１４３は、リーダアンテナ１１１で受信された無線タグ回路素子Ｔoからの応答波と上記発生させられた搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記リーダアンテナ１１１で受信された無線タグ回路素子Ｔoからの応答波と上記発生された後に移相器１６７により位相を９０°遅らせた搬送波とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路１３３に入力されて処理される。
【００４５】
また、Ｉ相受信アンプ１６２及びＱ相受信アンプ１７５の出力は、強度検出手段としてのＲＳＳＩ（Received  Signal  Strength  Indicator)回路１７８にも入力され、それらの信号の強度を示す信号「ＲＳＳＩ」が制御回路１３３に入力されるようになっている。このようにして、リーダライタ１００では、Ｉ−Ｑ直交復調によって無線タグ回路素子Ｔoからの応答波の復調が行われる。
【００４６】
図５に、上記無線タグ回路素子Ｔoの機能的構成の一例を示す。なお、図中に示す矢印は信号の流れの一例を示すものであり、信号の流れ方向を限定するものではない。
【００４７】
この図５において、無線タグ回路素子Ｔoは、上述したようにリーダライタ１００のリーダアンテナ１１１と非接触で信号の送受信を行う上記タグ側アンテナ１５１と、このタグ側アンテナ１５１に接続された上記ＩＣ回路部１５０とを有している。
【００４８】
ＩＣ回路部１５０は、タグ側アンテナ１５１により受信された質問波（質問信号）を整流する整流部１５２と、この整流部１５２により整流された質問波のエネルギを蓄積し駆動電源とするための電源部１５３と、上記タグ側アンテナ１５１により受信された質問波からクロック信号を抽出して制御部１５７に供給するクロック抽出部１５４と、所定の情報信号を記憶し得るメモリ部１５５と、上記タグ側アンテナ１５１に接続された変復調部１５６と、上記メモリ部１５５、クロック抽出部１５４、及び変復調部１５６等を介して上記無線タグ回路素子Ｔoの作動を制御するための上記制御部１５７とを備えている。
【００４９】
変復調部１５６は、タグ側アンテナ１５１により受信された上記リーダライタ１００のアンテナ１１１からの通信信号の復調を行い、また、上記制御部１５７からの返信信号を変調し、タグ側アンテナ１５１より応答波（タグＩＤを含む信号）として送信する。
【００５０】
クロック抽出部１５４は受信した信号からクロック成分を抽出して制御部１５７にクロックを抽出するものであり、受信した信号のクロック成分の周波数に対応したクロックを制御部１５７に供給する。
【００５１】
制御部１５７は、上記変復調部１５６により復調された受信信号を解釈し、上記メモリ部１５５において記憶された情報信号に基づいて返信信号を生成し、この返信信号を上記変復調部１５６により上記タグ側アンテナ１５１から返信する制御等の基本的な制御を実行する。
【００５２】
ここで、本実施形態のリーダライタ１００の最も大きな特徴は、過去に無線タグ回路素子Ｔoとの無線通信が成功した際の通信パラメータ履歴情報を、装置側記憶手段としてのメモリ１３４又はデータベース３００に当該無線タグ回路素子ＴoのタグＩＤと関連付けて保存しておくことで、次にその無線タグ回路素子Ｔoに対して無線通信を行う際に、保存した通信パラメータ履歴情報を用いて最適な通信パラメータを自動的に設定することを可能としたことにある。以下、その詳細を説明する。
【００５３】
図６に、リーダライタ１００の制御回路１３３によって実行される制御手順を示す。なお、ここではリーダライタ１００で無線タグ回路素子Ｔoから情報の読み取りを行う場合を説明する。制御回路１３３は、リーダライタ１００の電源の投入後（又は例えば操作部１２２において無線タグ回路素子Ｔoの読み取り処理を開始させる操作が行われると）、このフローを開始する。
【００５４】
まずステップＳ５において、制御回路１３３は、各無線タグ回路素子のタグＩＤと関連付けられた通信パラメータ履歴情報が含まれる上記探索リストを探索して取得する。具体的には、制御回路１３３は、リーダライタ１００が携帯使用状態である場合にはメモリ１３４を探索し、リーダライタ１００が固定使用状態である場合にはクレードル２００及びネットワークＮＷを介して接続された上記データベース３００を探索し、探索リストを取得する。
【００５５】
次のステップＳ１０では、制御回路１３３は、上記取得した探索リストに含まれる複数の無線タグ回路素子ＴoのタグＩＤ（通信履歴がある場合にはそれらのタグＩＤにそれぞれ関連付けられた通信パラメータ実績情報）のうち、通信を行おうとする無線タグ回路素子ＴoのタグＩＤ（通信履歴がある場合には通信対象のタグＩＤに関連付けられた通信パラメータ実績情報）を特定する（後述の図８参照）。なお、通信対象である無線タグ回路素子Ｔoについては、例えば表示部１２１に表示された、上記取得した探索リスト中に含まれる複数の無線タグ回路素子Ｔoの中から、操作者が操作部１２２を用いて選択するようになっている。
【００５６】
次のステップＳ１５では、制御回路１３３は、上記ステップＳ１０で特定した通信対象である無線タグ回路素子ＴoのタグＩＤに、通信パラメータ履歴情報が付加されているか否かを判定する。すなわち、通信対象である無線タグ回路素子Ｔoに対し、過去に通信が成功した実績がある場合には、その際の通信パラメータ履歴情報がタグＩＤに付加されて探索リストに登録されている（後述のステップＳ７０）ため、本判定は満たされる。一方、過去に通信実績がない場合又は通信を行ったことはあっても通信に成功した実績がない場合には、タグＩＤに通信パラメータ履歴情報が付加されていないため、本判定は満たされない。通信パラメータ履歴情報が付加されていた場合には、判定が満たされてステップＳ２０に移る。
【００５７】
ステップＳ２０では、制御回路１３３は優先モードの判定を行う。本実施形態では、上記ステップＳ１０で特定した通信対象である無線タグ回路素子Ｔoに対応する通信パラメータ履歴情報中における現出頻度が高い順に、無線タグ回路素子Ｔoとの１回の通信実績（１回で複数の無線タグ回路素子Ｔoと通信を行った場合には個々の無線タグ回路素子Ｔoとの通信実績。以下同様）に係わる通信パラメータ実績情報（後述の図７参照）ごとに優先順位を付与する「組合せ優先」モードと、上記通信対象である無線タグ回路素子Ｔoに対応する通信パラメータ履歴情報中における現出頻度が高い順に、無線タグ回路素子Ｔoとの通信実績に係わる各通信パラメータ項目ごとに優先順位を付与する「パラメータ項目優先」モードとが用意されており、どちらの優先モードでパラメータ設定を行うかは予め操作者により設定されている（又は通信を行うごとに操作者が優先モードを選択するようにしてもよい）。
【００５８】
上記「組合せ優先」モードが設定されている場合には、制御回路１３３は、ステップＳ２５で当該「組合せ優先」モードに移行し、次のステップＳ３０で通信対象である無線タグ回路素子Ｔoに対応する通信パラメータ履歴情報中における現出頻度が高い順に、上記通信パラメータ実績情報ごとに優先順位を付与する（後述の図９参照）。一方、「パラメータ項目優先」モードが設定されている場合には、制御回路１３３は、ステップＳ３５で当該「パラメータ項目優先」モードに移行し、次のステップＳ４０で上記通信対象である無線タグ回路素子Ｔoに対応する通信パラメータ履歴情報中における現出頻度が高い順に、無線タグ回路素子Ｔoとの通信実績に係わる各通信パラメータ項目（パラメータ要素）ごとに優先順位を付与する（後述の図１０参照）。
【００５９】
次のステップＳ５０では、制御回路１３３は、上記ステップＳ３０で付与した優先順位が最も高い通信パラメータ実績情報又はステップＳ４０で付与した優先順位が最も高い各通信パラメータ項目の組合せからなる通信パラメータ履歴情報に基づき、通信を行おうとする無線タグ回路素子Ｔoと情報送受信を行うための通信パラメータ（送信出力、偏波面、リトライ回数、アンテナ角度等）を設定する。なおこのとき、電動モータ１３５に制御信号を出力し、アンテナ角度が上記設定角度となるようにアンテナ部１１０を回転駆動させる。その後、次のステップＳ６０に移る。
【００６０】
なお、先のステップＳ１５において、通信パラメータ履歴情報が付加されていない場合には、判定が満たされずにステップＳ５５に移る。このステップＳ５５では、制御回路１３３は、通信パラメータを予め定められた初期値に設定する。そして、次のステップＳ６０に移る。
【００６１】
ステップＳ６０では、制御回路１３３は、各種通信パラメータ（送信出力、偏波面、リトライ回数）を上記ステップＳ５０又は上記ステップＳ５５で設定した値に設定した上で、上記高周波回路１３１の送信部１４２に制御信号を送信し、水晶振動子１４５Ａ、ＰＬＬ１４５Ｂ、及びＶＣＯ１４５ＣからＵＨＦ帯（例えば９１５ＭＨｚ）の搬送波を発生させ、制御信号に基づいて発生した搬送波を変調・増幅させ、送受分離器１４４及びリーダアンテナ１１１を介し、無線タグ回路素子ＴoのＩＣ回路部１５０に対して読み取り信号を送信させる。
【００６２】
次のステップＳ６５では、制御回路１３３は、上記読み取り信号を送信した無線タグ回路素子ＴoのＩＣ回路部１５０から、上記読み取り信号に対応した応答信号が受信されたか否かを判定する。応答信号を受信しない場合には、このステップＳ６５において、制御回路１３３は、上記ステップＳ５０又はステップＳ５５で設定した通信パラメータ中のリトライ回数だけ再試行（リトライ）を行う。これにより応答信号を受信し、タグ情報の読み取りが完了した場合には、判定が満たされてステップＳ７０に移り、上記ステップＳ５０又はステップＳ５５で設定した通信パラメータを先のステップＳ５で取得した探索リストの対応する部分に通信パラメータ実績情報として付加し、リーダライタ１００が携帯使用状態である場合にはメモリ１３４に、リーダライタ１００が固定使用状態である場合にはクレードル２００及び通信回線ＮＷを介してデータベース３００に登録する。そして、本フローを終了する。一方、再試行（リトライ）を行っても応答信号を受信していない場合には、判定が満たされずにステップＳ７５に移る。
【００６３】
ステップＳ７５では、制御回路１３３は、表示部１２１に対し制御信号を出力し、当該表示部１２１にタグ情報の読み取りがうまくいかなかった旨を表示させる。
【００６４】
次のステップＳ８０では、上記ステップＳ５０又はステップＳ５５で設定した通信パラメータを変更するか否かを判定する。この判定は、例えば表示部に「パラメータの変更を行いますか？」等の操作者の入力を促す表示を行い、これにより操作者が操作部１２２を用いて入力した信号に基づいて行ってもよいし、予め通信失敗時にパラメータを変更するか否かを設定しておくようにしてもよい。パラメータ変更を行う場合には、判定が満たされて次のステップＳ８５に移り、通信パラメータを変更して上記ステップＳ６０に戻る。この通信パラメータの変更は、操作者が操作部１２２を用いて手動入力により変更するようにしてもよいし、予め各パラメータ項目ごとに設定された変更量だけ制御回路１３３が自動的に変更するようにしてもよい。または、上記ステップＳ３０又はステップＳ４０において付与した優先順位における次の順位のパラメータを使用するようにしてもよい。一方、上記ステップＳ８０においてパラメータ変更を行わない場合には、本フローを終了する。
【００６５】
なお、特にフローチャートは図示しないが、無線タグ回路素子Ｔoに対し情報の書き込みを行う場合にも、制御回路１３３は、上記と同様にパラメータ履歴情報がある場合にはそれを取得して通信パラメータを設定し、パラメータ履歴情報がない場合には通信パラメータを初期値に設定し、情報書き込みを行うように制御する。
【００６６】
なお、上記ステップＳ５は、特許請求の範囲各項記載の装置側記憶手段に保存され、各無線タグ回路素子のタグ識別情報と関連付けられた通信パラメータ履歴情報を取得するパラメータ取得手段を構成し、また上記ステップＳ１０は、パラメータ取得手段で取得された通信パラメータ履歴情報に含まれる通信パラメータ実績情報のうち、通信を行おうとする無線タグ回路素子のタグ識別情報と関連付けられた通信パラメータ実績情報を特定するパラメータ特定手段を構成し、さらにステップＳ５０は、パラメータ特定手段で特定された１つの無線タグ回路素子に係わる複数の通信パラメータ実績情報のうち、優先順位付与手段で付与した優先順位に応じて、通信時の通信パラメータを構築するパラメータ構築手段を構成するとともに、パラメータ取得手段で取得した通信パラメータ履歴情報に基づき、装置側アンテナを介し無線タグ回路素子と情報送受信を行うための通信パラメータを設定するパラメータ設定手段をも構成する。また、上記ステップＳ７０は、無線タグ回路素子との無線通信が成功した際の通信パラメータ実績情報を、装置側記憶手段に保存するパラメータ保存手段を構成する。
【００６７】
また、上記ステップＳ３０及びステップＳ４０は、複数の通信パラメータ実績情報を含む通信パラメータ履歴情報に関し、パラメータ設定手段での通信パラメータ設定に係わる優先順位を付与する優先順位付与手段を構成する。
【００６８】
また、上記フローチャートは本発明を上記フローに示す手順に限定するものではなく、発明の趣旨及び技術的思想を逸脱しない範囲内で手順の追加・削除又は順番の変更等をしてもよい。
【００６９】
図７に、上記リーダライタ１００のメモリ１３４又はデータベース３００に記憶された、各無線タグ回路素子のタグＩＤと関連付けられた通信パラメータ履歴情報が含まれる探索リストのデータ内容を概念的に示す。
【００７０】
この図７に示す例では、探索リストには探索対象となる「アイテム１〜４」に係る４種類の無線タグ回路素子ＴoのタグＩＤがそれぞれ含まれており、そのうち「アイテム１〜３」に係る無線タグ回路素子ＴoのタグＩＤに対しては過去に通信実績があり通信パラメータ履歴情報がそれぞれ付加されているが、「アイテム４」に係る無線タグ回路素子ＴoのタグＩＤに対しては通信実績がなく通信パラメータ履歴情報が付加されていない。
【００７１】
上記「アイテム１〜３」に係る無線タグ回路素子Ｔoについては、各無線タグ回路素子Ｔoとの１回の通信実績に係わる上記通信パラメータ実績情報が、過去に行われた通信ごとに付加されており、その結果、各無線タグ回路素子ＴoのタグＩＤに対応する通信パラメータ履歴情報は、複数の通信パラメータ実績情報をそれぞれ有している。各通信パラメータ実績情報は、この例では送信出力、偏波面、リトライ回数（通信成功時の再試行回数）、及びアンテナ角度に関する情報から構成されている。なお、このうちアンテナ角度に関するパラメータは、リーダライタ１００を固定使用する場合にのみ用いるようにしてもよい。また、通信パラメータ実績情報の通信パラメータ項目としては、上記に限定するものではなく、例えば通信プロトコルや通信速度、送信電力等、上記以外のパラメータ項目を含めるようにしてもよい。
【００７２】
図８に、上記ステップＳ１０において、探索リスト中の情報から通信を行おうとする無線タグ回路素子ＴoのタグＩＤに対応する情報を特定した状態のデータ内容を概念的に示す。この図８は、「アイテム１」に係る無線タグ回路素子Ｔoを探索する場合を示しており、上記図７に示す探索リストの中から「アイテム１」に係る無線タグ回路素子ＴoのタグＩＤ及びこれに関連付けられ複数の通信パラメータ実績情報からなる通信パラメータ履歴情報が抽出されている。
【００７３】
図９に、上記ステップＳ３０において「組合せ優先」モードで優先順位を付与した状態のデータ内容を示す。この例では、上記図８に示す通信パラメータ履歴情報中における現出頻度が高い順に、上記通信パラメータ実績情報ごとに優先順位を付与している。この場合、優先順位が１番であるリスト最上段の通信パラメータ実績情報に基づき、上記ステップＳ５０において通信パラメータを設定することになる。
【００７４】
図１０に、上記ステップＳ４０において「パラメータ項目優先」モードで優先順位を付与した状態を示す。この例では、上記図８に示す通信パラメータ履歴情報中における現出頻度が高い順に、上記通信パラメータ項目ごとに優先順位を付与している。この場合、各通信パラメータ項目において優先順位が１番である最上段の通信パラメータを組み合わせて通信パラメータ実績情報を構築し、当該通信パラメータ実績情報に基づき、上記ステップＳ５０において通信パラメータを設定することになる。
【００７５】
以上説明した実施形態においては、無線タグ回路素子Ｔoとの通信に関する通信パラメータ履歴情報が、各無線タグ回路素子ＴoのタグＩＤと関連付けた形で、メモリ１３４又はデータベース３００に記憶されている。そして、無線通信を行う際には、そのメモリ１３４又はデータベース３００に保存された通信パラメータ履歴情報を取得し、装置側アンテナ１１１を介し無線タグ回路素子Ｔoと無線通信を行うときに用いる通信パラメータを、取得した通信パラメータ履歴情報に基づき設定する。
【００７６】
これにより、上記実施形態のように過去に無線タグ回路素子Ｔoとの無線通信が成功した際の通信パラメータ履歴情報をメモリ１３４又はデータベース３００に保存しておくことで、当該通信パラメータ履歴情報に基づき、無線タグ回路素子Ｔoとの無線通信に最適な通信パラメータを自動的に設定することができる。
【００７７】
この結果、操作者は、自ら通信パラメータの設定あるいは調整等の操作を行うことなく、自動的に最適な通信パラメータを用いて無線通信を行うことができるので、利便性を向上することができる。
【００７８】
また、本実施形態では特に、メモリ１３４又はデータベース３００に記憶されている探索リスト中の通信パラメータ履歴情報が、無線タグ回路素子Ｔoとの１回の通信実績に関わる通信パラメータ実績情報を少なくとも１つ含んでおり、この通信パラメータ履歴情報をメモリ１３４又はデータベース３００から取得した後、通信パラメータ履歴情報に含まれる通信パラメータ実績情報のうち、通信を行おうとする無線タグ回路素子ＴoのタグＩＤと関連付けられた通信パラメータ実績情報を特定する。
【００７９】
このようにすることで、通信対象である無線タグ回路素子Ｔoに対し最適な通信パラメータを自動的に設定することができる。特に、複数の無線タグ回路素子ＴoのタグＩＤとそれぞれ関連付けられた複数の通信パラメータ実績情報からなる通信パラメータ履歴情報がメモリ１３４又はデータベース３００に保存されている場合でも、それらの中から通信に最適な通信パラメータを確実に設定することができる。
【００８０】
また、本実施形態では特に、無線タグ回路素子Ｔoとの無線通信が成功した際の通信パラメータ実績情報を、メモリ１３４又はデータベース３００に保存する。これにより、無線通信成功時の通信パラメータ実績情報を、以降の無線通信のための通信パラメータ履歴情報として、メモリ１３４又はデータベース３００に保存することができる。
【００８１】
また、本実施形態では特に、リーダライタ１００が固定使用状態である場合には、クレードル２００及び通信回線ＮＷを介してデータベース３００に通信パラメータ実績情報を保存する。その結果、当該保存した通信パラメータ実績情報に対応する無線タグ回路素子Ｔoと無線通信を行う際に、データベース３００に保存された通信パラメータ履歴情報を取得し、当該取得した通信パラメータ履歴情報に基づき、無線タグ回路素子Ｔoとの無線通信に最適な通信パラメータを自動的に設定することができる。また、このように装置外部のデータベース３００に通信パラメータ履歴情報を登録するようにした場合、リーダライタ１００の装置内部にメモリを設ける場合と異なり、記憶容量増大や置き換えが容易である。
【００８２】
また、本実施形態では特に、リーダライタ１００が携帯使用状態である場合には、リーダライタ１００内に設けられたメモリ１３４に通信パラメータ実績情報を保存する。その結果、当該保存した通信パラメータ実績情報に対応する無線タグ回路素子Ｔoと無線通信を行う際に、メモリ１３４に保存された通信パラメータ履歴情報を取得し、当該取得した通信パラメータ履歴情報に基づき、無線タグ回路素子Ｔoとの無線通信に最適な通信パラメータを自動的に設定することができる。また、このように装置内のメモリに通信パラメータ履歴情報を登録するようにした場合には、リーダライタ１００の装置外部に別途記憶手段を設ける必要がなく、制御信頼性や通信処理の迅速性が向上する。
【００８３】
また、本実施形態では特に、複数の通信パラメータ実績情報を含む通信パラメータ履歴情報に関し、通信パラメータ設定に係わる優先順位を付与する。これにより、操作者の使用態様や用途等に応じて優先順位を付与し、その付与された優先順位に応じた通信パラメータ実績情報を用いて通信パラメータを自動的に設定することが可能となる。この結果、最適な通信パラメータをさらに確実に設定することができ、利便性が向上する。
【００８４】
また、本実施形態では特に、組合せ優先モードにおいては、通信パラメータ履歴情報中における現出頻度に応じ、各通信パラメータ実績情報ごとに優先順位を付与する。このようにして、通信パラメータ履歴情報中において頻度が高い通信パラメータ実績情報を用いることで、最適な通信パラメータを自動的に設定することができる。
【００８５】
また、本実施形態では特に、パラメータ項目優先モードにおいては、通信パラメータ履歴情報中における現出頻度に応じて、各通信パラメータ項目ごとに優先順位を付与する。このようにすることで、通信パラメータ履歴情報中において頻度が高いパラメータ要素を組み合わせて通信パラメータ実績情報を構築し用いることで、最適な通信パラメータを自動的に設定することができる。
【００８６】
また、本実施形態では特に、特定された通信対象の無線タグ回路素子に係わる複数の通信パラメータ実績情報のうち、付与した優先順位に応じて通信時の通信パラメータを設定する。これにより、優先順位の高い通信パラメータ実績情報を用いて通信パラメータを自動的に設定することができるので、さらに確実に通信パラメータを最適化することができる。
【００８７】
また、本実施形態では特に、メモリ１３４又はデータベース３００より通信パラメータ履歴情報を取得した後（取得時でもよい）に、通信パラメータ履歴情報に対して優先順位を付与する。これにより、当該優先順位に応じ、通信時の通信パラメータを構築して設定することができるので、通信パラメータ履歴情報の取得時における最新の通信パラメータ履歴情報を反映して通信パラメータを設定することができる。
【００８８】
なお、本発明は、上記実施形態に限られるものではなく、その趣旨及び技術的思想を逸脱しない範囲内で種々の変形が可能である。以下、そのような変形例を順を追って説明する。
【００８９】
（１）通信パラメータ項目のバリエーション
上記実施形態では、通信パラメータ実績情報を構成する通信パラメータ項目を、送信出力、偏波面、リトライ回数、及びアンテナ角度としているが、これら以外のパラメータを通信パラメータ項目に含めてもよい。以下、変形例を順に説明する。
【００９０】
（i）探索対象の周辺で探索された無線タグ回路素子
上記実施形態では、探索リストの中から通信を行おうとする無線タグ回路素子Ｔoを１つだけ指定し、当該探索対象の無線タグ回路素子Ｔoがリーダライタ１００の通信可能領域の範囲内に存在しているか否かを問いかけるよう通信し続ける、いわゆるシングルサーチモードによる探索を行う場合を例にとって説明したが、これに限られず、例えばマルチサーチモード、又はリストアップモード等の探索モードで探索を行うことも考えられる。ここで、上記マルチサーチモードとは、探索リストの中から通信を行おうとする複数の無線タグ回路素子Ｔoを指定し、当該複数の探索対象がリーダライタ１００の通信可能領域の範囲内に存在しているか否かを常に問いかけるよう通信し続ける処理である。また、上記リストアップモードとは、上記シングルサーチモードやマルチサーチモードと異なり、探索対象の指定（すなわちタグＩＤの指定）は行わず、リーダライタ１００の通信可能領域の範囲内に存在する不特定の無線タグ回路素子Ｔoと無線通信を行い、検出した無線タグ回路素子Ｔoを全てリストアップする処理である。
【００９１】
本変形例では、上記リストアップモードで探索を行って複数の無線タグ回路素子Ｔoを検出した場合に、各無線タグ回路素子Ｔoの通信パラメータ履歴情報に同時に検出された他の（周辺の）無線タグ回路素子ＴoのタグＩＤを含めて登録する。
【００９２】
これにより、上記検出された複数の無線タグ回路素子Ｔoのうち、探索対象である１つの無線タグ回路素子Ｔoを探索する場合に、まず上記リストアップモードで探索を行っておき、周辺の無線タグ回路素子Ｔoについて検出された場合には、探索対象である無線タグ回路素子Ｔoが近くに存在することが推認されることから、シングルサーチモードに移行するといったモードの自動的な使い分けが可能となる。
【００９３】
なお、本変形例は、検出される複数の無線タグ回路素子Ｔoの位置が定位置である場合（いわゆる場所タグ等）に特に効果を奏するものである。
【００９４】
（ii）マルチサーチにおける無線タグ回路素子の検出順
本変形例では、上記マルチサーチモードで探索を行って複数の無線タグ回路素子Ｔoを検出した場合に、各無線タグ回路素子Ｔoの検出順に関する情報を、各無線タグ回路素子Ｔoの通信パラメータ履歴情報に含めて登録する。これにより、次回マルチサーチモードで上記複数の無線タグ回路素子Ｔoについて探索を行う場合に、上記検出順に沿って探索を行うことで最適な順番で探索を行うことが可能となり、円滑且つ効率的な探索を行うことができる。
【００９５】
（iii）探索日時
本変形例では、各無線タグ回路素子Ｔoの通信パラメータ履歴情報に、当該無線タグ回路素子Ｔoが検出された際の日時情報を含めて登録する。これにより、次回探索時には、当該探索対象である無線タグ回路素子Ｔoの通信パラメータ履歴情報のうち、比較的新しい日時のものを優先的に用いたり、所定の時間帯に属するものを優先的に用いる等、時系列的な優先条件を付与してきめ細かなパラメータ設定を行うことができる。
【００９６】
（２）優先順位に応じて複数のパラメータ実績情報を特定する場合
上記実施形態では、付与した優先順位が最も高い通信パラメータ実績情報（又は付与した優先順位が最も高い各通信パラメータを組み合わせて構築した通信パラメータ実績情報）を１つ特定し、当該情報に基づき通信パラメータを設定するようにしたが、これに限られない。すなわち、例えば優先順位１番〜３番といったように、付与した優先順位に応じ、通信で使用するための複数の通信パラメータ実績情報を特定するようにしてもよい。これにより、特定された複数の通信パラメータ実績情報のうちから、操作者の意図に応じた選択により通信パラメータ実績情報を決定することができる。その結果、操作者の意向を反映したパラメータ設定を行うことができる。
【００９７】
（３）通信パラメータのアップデート時に優先順位を付与する場合
上記実施形態では、メモリ１３４又はデータベース３００より通信パラメータ履歴情報を取得した後に、通信パラメータ履歴情報に対して優先順位を付与するようにしたが、これに限られない。すなわち、例えばメモリ１３４又はデータベース３００に保存された通信パラメータ履歴情報に対し、優先順位を付与するようにしてもよい。この場合、無線通信を行う際には、その優先順位が付与された通信パラメータ履歴情報をメモリ１３４又はデータベース３００から取得し、当該優先順位に応じ、通信時の通信パラメータを設定することができる。このようにすることで、通信パラメータ履歴情報を取得した際に、付与された優先順位に応じて、情報取得後円滑且つ迅速に通信パラメータの設定を行うことができる。また、通信パラメータ実績情報のメモリ１３４又はデータベース３００への登録時（すなわちデータのアップデート時）等の、適宜のタイミングで優先順位を付与することもできる。
【００９８】
（４）マルチサーチモード、リストアップモードにおけるパラメータ設定
上記実施形態では、各無線タグ回路素子Ｔoごとの個別の通信履歴から優先順位に基づき通信パラメータを設定するようにしたが、これに限られず、複数の無線タグ回路素子Ｔoを指定して探索を行う上記マルチサーチモードや、不特定の無線タグ回路素子Ｔoに対し探索を行う上記リストアップモードの場合には、以下のようにして通信パラメータを設定してもよい。
【００９９】
すなわち、送信電力やリトライ回数等の項目については、複数の無線タグ回路素子Ｔoに対する通信履歴のうち、最大値を採用するようにしてもよい。また、通信パラメータをある一点の値に設定するのではなく、通信履歴から所定の可変範囲を設定し、その可変範囲の中で操作者が調整可能なようにしてもよい。
【０１００】
さらに、各無線タグ回路素子Ｔoについて、上記実施形態のようにシングルサーチモード用の通信パラメータ履歴情報のみを登録するのではなく、上記マルチサーチモードやリストアップモード用の通信パラメータ履歴情報についても、併せて登録するようにしてもよい。これにより、探索モードに応じて使用する通信パラメータ履歴情報を切り替えることが可能となる。
【０１０１】
（５）その他
上記実施形態では、本発明を携帯型の無線通信装置に適用した場合を例にとって説明したが、これに限られず、所定の位置に固定的に設置された定置型の無線通信装置に適用してもよい。
【０１０２】
また上記実施形態では、リーダライタ１００が携帯使用状態の場合には、通信パラメータ履歴情報をメモリ１３４に登録するとともに探索時には当該メモリ１３４から取得し、固定使用状態の場合には、通信パラメータ履歴情報をデータベース３００に登録するとともに探索時には当該データベース３００から取得するようにしたが、これに限られない。すなわち、例えば携帯使用状態及び固定使用状態のいずれの際にも通信パラメータ履歴情報をメモリ１３４に登録するとともに探索時には当該メモリ１３４から取得するようにしてもよい。また、例えば携帯使用状態及び固定使用状態のいずれの際にも通信パラメータ履歴情報をデータベース３００に登録するとともに探索時には当該データベース３００から取得するようにしてもよい。この場合、携帯使用状態におけるデータベース３００に対する情報の送受信は、例えば無線ＬＡＮ等を介して行えばよい。
【０１０３】
上記実施形態では、通信成功時の通信パラメータ実績情報をメモリ１３４又はデータベース３００に保存するようにしたが、これに限られない。すなわち、反対に過去に無線タグ回路素子Ｔoとの無線通信が失敗した際の通信パラメータ実績情報をメモリ１３４又はデータベース３００に保存しておき、次の通信時には当該保存された不適当な通信パラメータを自動的に排除し、好適な通信パラメータを設定するようにしてもよい。
【０１０４】
また、以上既に述べた以外にも、上記実施形態や各変形例による手法を適宜組み合わせて利用しても良い。
【０１０５】
その他、一々例示はしないが、本発明は、その趣旨を逸脱しない範囲内において、種々の変更が加えられて実施されるものである。
【図面の簡単な説明】
【０１０６】
【図１】本実施形態の無線タグ通信装置であるリーダライタの携帯使用状態及び固定使用状態における全体構造を表す図である。
【図２】リーダライタのアンテナ回転時における全体概略構造を表す斜視図である。
【図３】リーダライタ及びクレードルの携帯使用状態及び固定使用状態における機能構成を表す機能ブロック図である。
【図４】高周波回路の詳細構成を表す機能ブロック図である。
【図５】無線タグ回路素子の機能的構成の一例を表すブロック図である。
【図６】リーダライタの制御回路によって実行される制御手順を表すフローチャートである。
【図７】リーダライタのメモリ又はデータベースに記憶された、各無線タグ回路素子のタグＩＤと関連付けられた通信パラメータ履歴情報が含まれる探索リストのデータ内容を概念的に表す図である。
【図８】探索リスト中の情報から通信を行おうとする無線タグ回路素子のタグＩＤに対応する情報を特定した状態のデータ内容を概念的に表す図である。
【図９】組合せ優先モードで優先順位を付与した状態のデータ内容を表す図である。
【図１０】パラメータ項目優先モードで優先順位を付与した状態のデータ内容を表す図である。
【符号の説明】
【０１０７】
１００          リーダライタ（無線タグ通信装置）
１１１          リーダアンテナ（装置側アンテナ）
１３３          制御回路
１３４          メモリ（装置側記憶手段）
１５０          ＩＣ回路部
１５１          タグ側アンテナ
３００          データベース（装置側記憶手段）
Ｔo             無線タグ回路素子
【図１】
2009122751.tif 000003
【図２】
2009122751.tif 000004
【図３】
2009122751.tif 000005
【図４】
2009122751.tif 000006
【図５】
2009122751.tif 000007
【図６】
2009122751.tif 000008
【図７】
2009122751.tif 000009
【図８】
2009122751.tif 000010
【図９】
2009122751.tif 000011
【図１０】
2009122751.tif 000012